(57)【要約】【課題】色材の量を削減するための画像処理が施された画像の形成結果を、ユーザの許容範囲内に確実に収めることを可能にする画像形成条件設定装置および画像形成条件設定プログラムを提供する。【解決手段】本発明の画像形成条件設定装置は、画像形成装置において画像を形成するために使用される色材の量を削減する旨の指示を受け付ける指示受付部と、指示受付部により色材の量を削減する旨の指示が受け付けられた場合、色材の量を削減可能な異なる方式の複数の画像処理が、特定の画像に対してそれぞれ施された結果を示す複数のプレビュー画像を表示装置に表示させる表示制御部と、表示装置に表示される複数のプレビュー画像の中からの、ユーザによる１つのプレビュー画像の選択を受け付ける選択受付部と、ユーザにより選択されたプレビュー画像に対応する画像処理が施された画像の形成を画像形成装置に指示する指示部と、を有する。【選択図】図７
2011164489.tif 000002
【特許請求の範囲】
【請求項１】
画像形成装置において画像を形成するために使用される色材の量を削減する旨の指示を受け付ける指示受付部と、
前記指示受付部により前記色材の量を削減する旨の指示が受け付けられた場合、色材の量を削減可能な異なる方式の複数の画像処理が、特定の画像に対してそれぞれ施された結果を示す複数のプレビュー画像を表示装置に表示させる表示制御部と、
前記表示装置に表示される前記複数のプレビュー画像の中からの、ユーザによる１つのプレビュー画像の選択を受け付ける選択受付部と、
前記ユーザにより選択された前記プレビュー画像に対応する画像処理が施された画像の形成を前記画像形成装置に指示する指示部と、
を有することを特徴とする画像形成条件設定装置。
【請求項２】
前記画像処理が施されていない画像を形成するために使用される色材の量に対する、前記画像処理が施された画像を形成するために使用される色材の量の比率である色材使用率の設定を受け付ける使用率受付部をさらに有し、
前記表示制御部は、前記色材使用率が得られるようにパラメータがそれぞれ設定された前記複数の画像処理が、前記特定の画像に対してそれぞれ施された結果を示す複数のプレビュー画像を前記表示装置に表示させることを特徴とする請求項１に記載の画像形成条件設定装置。
【請求項３】
前記色材使用率は、前記複数の画像処理に対して共通に設定されることを特徴とする請求項２に記載の画像形成条件設定装置。
【請求項４】
前記色材使用率は、前記複数のプレビュー画像とともに、前記表示装置に変更可能に表示され、
前記表示装置に表示される色材使用率がユーザにより変更された場合、前記表示制御部は、前記変更後の色材使用率が得られるようにパラメータがそれぞれ設定された前記複数の画像処理が、前記特定の画像に対してそれぞれ施された結果を示す複数のプレビュー画像を前記表示装置に表示させることを特徴とする請求項３に記載の画像形成条件設定装置。
【請求項５】
前記複数の画像処理の各パラメータは、前記複数のプレビュー画像とともに、前記表示装置に変更可能にそれぞれ表示され、
前記表示装置に表示される複数のパラメータのうちの１つのパラメータがユーザにより変更された場合、前記表示制御部は、前記変更後のパラメータに対応する前記色材使用率が得られるようにパラメータがそれぞれ設定された前記複数の画像処理が、前記特定の画像に対してそれぞれ施された結果を示す複数のプレビュー画像を前記表示装置に表示させることを特徴とする請求項３または４に記載の画像形成条件設定装置。
【請求項６】
前記特定の画像が複数ページからなる文書の特定ページの画像である場合、前記表示装置に表示される前記プレビュー画像のページについてのユーザによる選択を受け付けるページ受付部をさらに有し、
前記表示制御部は、前記ページ受付部により受け付けられた前記ページに対応する前記複数のプレビュー画像を前記表示装置に表示させることを特徴とする請求項１〜５のいずれか１項に記載の画像形成条件設定装置。
【請求項７】
画像形成装置において画像を形成するために使用される色材の量を削減する旨の指示を受け付ける手順（ａ）と、
前記手順（ａ）において前記色材の量を削減する旨の指示が受け付けられた場合、色材の量を削減可能な異なる方式の複数の画像処理が、特定の画像に対してそれぞれ施された結果を示す複数のプレビュー画像を表示装置に表示させる手順（ｂ）と、
前記表示装置に表示される前記複数のプレビュー画像の中からの、ユーザによる１つのプレビュー画像の選択を受け付ける手順（ｃ）と、
前記ユーザにより選択された前記プレビュー画像に対応する画像処理が施された画像の形成を前記画像形成装置に指示する手順（ｄ）と、
をコンピュータに実行させることを特徴とする画像形成条件設定プログラム。
【請求項８】
前記画像処理が施されていない画像を形成するために使用される色材の量に対する、前記画像処理が施された画像を形成するために使用される色材の量の比率である色材使用率の設定を受け付ける手順（ｅ）をさらに前記コンピュータに実行させ、
前記手順（ｂ）において、前記色材使用率が得られるようにパラメータがそれぞれ設定された前記複数の画像処理が、前記特定の画像に対してそれぞれ施された結果を示す複数のプレビュー画像が前記表示装置に表示されることを特徴とする請求項７に記載の画像形成条件設定プログラム。
【請求項９】
前記色材使用率は、前記複数の画像処理に対して共通に設定されることを特徴とする請求項８に記載の画像形成条件設定プログラム。
【請求項１０】
前記色材使用率は、前記複数のプレビュー画像とともに、前記表示装置に変更可能に表示され、
前記表示装置に表示される色材使用率がユーザにより変更された場合、前記手順（ｂ）において、前記変更後の色材使用率が得られるようにパラメータがそれぞれ設定された前記複数の画像処理が、前記特定の画像に対してそれぞれ施された結果を示す複数のプレビュー画像が前記表示装置に表示されることを特徴とする請求項９に記載の画像形成条件設定プログラム。
【請求項１１】
前記複数の画像処理の各パラメータは、前記複数のプレビュー画像とともに、前記表示装置に変更可能にそれぞれ表示され、
前記表示装置に表示される複数のパラメータのうちの１つのパラメータがユーザにより変更された場合、前記手順（ｂ）において、前記変更後のパラメータに対応する前記色材使用率が得られるようにパラメータがそれぞれ設定された前記複数の画像処理が、前記特定の画像に対してそれぞれ施された結果を示す複数のプレビュー画像が前記表示装置に表示されることを特徴とする請求項９または１０に記載の画像形成条件設定プログラム。
【請求項１２】
前記特定の画像が複数ページからなる文書の特定ページの画像である場合、前記表示装置に表示される前記プレビュー画像のページについてのユーザによる選択を受け付ける手順（ｆ）をさらに前記コンピュータに実行させ、
前記手順（ｂ）において、前記手順（ｆ）において受け付けられた前記ページに対応する前記複数のプレビュー画像が前記表示装置に表示されることを特徴とする請求項７〜１１のいずれか１項に記載の画像形成条件設定プログラム。
【請求項１３】
請求項７〜１２のいずれか１項に記載の画像形成条件設定プログラムを記録したコンピュータ読み取り可能な記録媒体。
【発明の詳細な説明】
【技術分野】
【０００１】
本発明は、画像形成条件設定装置および画像形成条件設定プログラムに関する。本発明は、特に、画像形成装置において画像形成時に使用される色材の量を削減するために用いられる画像形成条件設定装置および画像形成条件設定プログラムに関する。
【背景技術】
【０００２】
プリンタ等の画像形成装置において画像形成時に使用されるトナーの量を削減することは、コスト削減の観点のみならず、環境保護の観点からも重要である。
【０００３】
これに関連する技術として、ユーザのコスト意識を向上させる見地から、下記の特許文献１に示されるような消耗材消費量通知システムが知られている。特許文献１に開示されている消耗材消費量通知システムは、トナーの消費量を削減可能な複数の印刷モードについて、各印刷モードによる画像の印刷に必要なトナーの量とその概略コストを算出し、ユーザにより選択された特定の印刷モードよりも低いコストの印刷モードとそのコストを推奨印刷モードとしてユーザに通知するものである。このような構成によれば、ユーザは、各印刷モードに必要なトナーの量に基づくコストを考慮して、よりコストの低い印刷モードによる画像の印刷を選択することが可能となる。
【０００４】
しかしながら、上記システムでは、ユーザにより選択された印刷モードに基づき印刷された画像の視認性が、ユーザの予測していたものと大きく異なる場合がある。たとえば、画像の濃度を低減させることによりトナーの消費量を削減する印刷モードでは、印刷された画像がユーザの予測していたものよりもはるかに薄く、ユーザが画像を適切に認識することができない場合がある。
【先行技術文献】
【特許文献】
【０００５】
【特許文献１】特開２００４−１７７７３６号公報
【発明の概要】
【発明が解決しようとする課題】
【０００６】
本発明は、上述した課題に鑑みてなされたものである。したがって、本発明の目的は、画像形成装置において画像を形成するために使用される色材の量を削減可能な複数の画像処理の中からユーザが１つの画像処理を選択する画像形成条件設定処理において、ユーザにより選択された画像処理が施された画像の形成結果を、ユーザの許容範囲内に確実に収めることを可能にする画像形成条件設定装置および画像形成条件設定プログラムを提供することである。
【課題を解決するための手段】
【０００７】
本発明の上記目的は、下記の手段によって達成される。
【０００８】
（１）画像形成装置において画像を形成するために使用される色材の量を削減する旨の指示を受け付ける指示受付部と、前記指示受付部により前記色材の量を削減する旨の指示が受け付けられた場合、色材の量を削減可能な異なる方式の複数の画像処理が、特定の画像に対してそれぞれ施された結果を示す複数のプレビュー画像を表示装置に表示させる表示制御部と、前記表示装置に表示される前記複数のプレビュー画像の中からの、ユーザによる１つのプレビュー画像の選択を受け付ける選択受付部と、前記ユーザにより選択された前記プレビュー画像に対応する画像処理が施された画像の形成を前記画像形成装置に指示する指示部と、を有することを特徴とする画像形成条件設定装置。
【０００９】
（２）前記画像処理が施されていない画像を形成するために使用される色材の量に対する、前記画像処理が施された画像を形成するために使用される色材の量の比率である色材使用率の設定を受け付ける使用率受付部をさらに有し、前記表示制御部は、前記色材使用率が得られるようにパラメータがそれぞれ設定された前記複数の画像処理が、前記特定の画像に対してそれぞれ施された結果を示す複数のプレビュー画像を前記表示装置に表示させることを特徴とする上記（１）に記載の画像形成条件設定装置。
【００１０】
（３）前記色材使用率は、前記複数の画像処理に対して共通に設定されることを特徴とする上記（２）に記載の画像形成条件設定装置。
【００１１】
（４）前記色材使用率は、前記複数のプレビュー画像とともに、前記表示装置に変更可能に表示され、前記表示装置に表示される色材使用率がユーザにより変更された場合、前記表示制御部は、前記変更後の色材使用率が得られるようにパラメータがそれぞれ設定された前記複数の画像処理が、前記特定の画像に対してそれぞれ施された結果を示す複数のプレビュー画像を前記表示装置に表示させることを特徴とする上記（３）に記載の画像形成条件設定装置。
【００１２】
（５）前記複数の画像処理の各パラメータは、前記複数のプレビュー画像とともに、前記表示装置に変更可能にそれぞれ表示され、前記表示装置に表示される複数のパラメータのうちの１つのパラメータがユーザにより変更された場合、前記表示制御部は、前記変更後のパラメータに対応する前記色材使用率が得られるようにパラメータがそれぞれ設定された前記複数の画像処理が、前記特定の画像に対してそれぞれ施された結果を示す複数のプレビュー画像を前記表示装置に表示させることを特徴とする上記（３）または（４）に記載の画像形成条件設定装置。
【００１３】
（６）前記特定の画像が複数ページからなる文書の特定ページの画像である場合、前記表示装置に表示される前記プレビュー画像のページについてのユーザによる選択を受け付けるページ受付部をさらに有し、前記表示制御部は、前記ページ受付部により受け付けられた前記ページに対応する前記複数のプレビュー画像を前記表示装置に表示させることを特徴とする上記（１）〜（５）のいずれか１つに記載の画像形成条件設定装置。
【００１４】
（７）画像形成装置において画像を形成するために使用される色材の量を削減する旨の指示を受け付ける手順（ａ）と、前記手順（ａ）において前記色材の量を削減する旨の指示が受け付けられた場合、色材の量を削減可能な異なる方式の複数の画像処理が、特定の画像に対してそれぞれ施された結果を示す複数のプレビュー画像を表示装置に表示させる手順（ｂ）と、前記表示装置に表示される前記複数のプレビュー画像の中からの、ユーザによる１つのプレビュー画像の選択を受け付ける手順（ｃ）と、前記ユーザにより選択された前記プレビュー画像に対応する画像処理が施された画像の形成を前記画像形成装置に指示する手順（ｄ）と、をコンピュータに実行させることを特徴とする画像形成条件設定プログラム。
【００１５】
（８）前記画像処理が施されていない画像を形成するために使用される色材の量に対する、前記画像処理が施された画像を形成するために使用される色材の量の比率である色材使用率の設定を受け付ける手順（ｅ）をさらに前記コンピュータに実行させ、前記手順（ｂ）において、前記色材使用率が得られるようにパラメータがそれぞれ設定された前記複数の画像処理が、前記特定の画像に対してそれぞれ施された結果を示す複数のプレビュー画像が前記表示装置に表示されることを特徴とする上記（７）に記載の画像形成条件設定プログラム。
【００１６】
（９）前記色材使用率は、前記複数の画像処理に対して共通に設定されることを特徴とする上記（８）に記載の画像形成条件設定プログラム。
【００１７】
（１０）前記色材使用率は、前記複数のプレビュー画像とともに、前記表示装置に変更可能に表示され、前記表示装置に表示される色材使用率がユーザにより変更された場合、前記手順（ｂ）において、前記変更後の色材使用率が得られるようにパラメータがそれぞれ設定された前記複数の画像処理が、前記特定の画像に対してそれぞれ施された結果を示す複数のプレビュー画像が前記表示装置に表示されることを特徴とする上記（９）に記載の画像形成条件設定プログラム。
【００１８】
（１１）前記複数の画像処理の各パラメータは、前記複数のプレビュー画像とともに、前記表示装置に変更可能にそれぞれ表示され、前記表示装置に表示される複数のパラメータのうちの１つのパラメータがユーザにより変更された場合、前記手順（ｂ）において、前記変更後のパラメータに対応する前記色材使用率が得られるようにパラメータがそれぞれ設定された前記複数の画像処理が、前記特定の画像に対してそれぞれ施された結果を示す複数のプレビュー画像が前記表示装置に表示されることを特徴とする上記（９）または（１０）に記載の画像形成条件設定プログラム。
【００１９】
（１２）前記特定の画像が複数ページからなる文書の特定ページの画像である場合、前記表示装置に表示される前記プレビュー画像のページについてのユーザによる選択を受け付ける手順（ｆ）をさらに前記コンピュータに実行させ、前記手順（ｂ）において、前記手順（ｆ）において受け付けられた前記ページに対応する前記複数のプレビュー画像が前記表示装置に表示されることを特徴とする上記（７）〜（１１）のいずれか１つに記載の画像形成条件設定プログラム。
【００２０】
（１３）上記（７）〜（１２）のいずれか１つに記載の画像形成条件設定プログラムを記録したコンピュータ読み取り可能な記録媒体。
【発明の効果】
【００２１】
本発明によれば、ユーザは、複数のプレビュー画像を参照して、複数の画像処理の中から１つの画像処理を選択することができるため、ユーザにより選択された画像処理が施された画像の形成結果が、ユーザの許容範囲内に確実に収まるようになる。
【図面の簡単な説明】
【００２２】
【図１】本発明の一実施形態に係る印刷システムの全体構成を示すブロック図である。
【図２】図１に示されるプリンタの構成を示すブロック図である。
【図３】図１に示されるＰＣの構成を示すブロック図である。
【図４】図１に示されるＰＣのモジュール構成を示す図である。
【図５】印刷画面の一例を示す図である。
【図６】印刷設定画面の一例を示す図である。
【図７】エコノミー印刷設定画面の一例を示す図である。
【図８】プリンタにおいて印刷時に使用されるトナーの量を削減可能な画像処理を説明するための図である。
【図９】図１に示されるＰＣにおいて実行される印刷設定処理の手順を示すフローチャートである。
【図１０】図９のステップＳ１０３に示されるトナーセーブ印刷設定処理の手順を示すフローチャートである。
【図１１】図１０に後続するフローチャートである。
【図１２】本発明の他の実施形態に係る印刷システムの全体構成を示すブロック図である。
【発明を実施するための形態】
【００２３】
以下、図面を参照して、本発明の実施形態を詳細に説明する。
【００２４】
図１は、本発明の一実施形態に係る印刷システムの全体構成を示すブロック図である。
【００２５】
図１に示されるとおり、本実施形態に係る印刷システムは、画像形成装置としてのプリンタ１と、画像形成条件設定装置としてのＰＣ２とを備える。プリンタ１とＰＣ２とは、直接機器間で相互に通信可能に接続されている。
【００２６】
図２は、図１に示されるプリンタの構成を示すブロック図である。プリンタ１は、ＣＰＵ１１、ＲＯＭ１２、ＲＡＭ１３、操作パネル１４、印刷部１５、および通信インタフェース１６を含み、これらは信号をやり取りするためのバス１７を介して相互に接続されている。
【００２７】
ＣＰＵ１１は、プログラムにしたがって上記各部の制御や各種の演算処理を実行する。ＲＯＭ１２は、各種プログラムおよび各種データを格納する。ＲＡＭ１３は、作業領域として一時的にプログラムおよびデータを記憶する。
【００２８】
操作パネル１４は、タッチパネル、テンキー、スタートボタン、およびストップボタン等の要素を備えており、各種情報の表示および各種指示の入力に使用される。
【００２９】
印刷部１５は、電子写真式プロセス等の周知の作像プロセスを用いて、各種データに基づく画像を用紙等の記録媒体上に印刷する。印刷部１５は、シアン（Ｃ）、マゼンタ（Ｍ）、イエロー（Ｙ）、ブラック（Ｋ）の４色のトナーを用いて画像を印刷する。
【００３０】
通信インタフェース１６は、プリンタ１と外部機器との間で通信を行うためのインタフェースであり、イーサネット（登録商標）、トークンリング、ＦＤＤＩ等の規格が用いられる。
【００３１】
図３は、図１に示されるＰＣの構成を示すブロック図である。ＰＣ２は、ＣＰＵ２１、ＲＯＭ２２、ＲＡＭ２３、ハードディスク２４、ディスプレイ２５、入力装置２６、および通信インタフェース２７を含み、これらは信号をやり取りするためのバス２８を介して相互に接続されている。なお、ＰＣ２の上記各部のうち、プリンタ１の上記各部と同様の機能を有する部分については、説明の重複を避けるためその説明を省略する。
【００３２】
ハードディスク２４は、オペレーティングシステムを含む各種プログラムおよび各種データを格納する。また、ハードディクス２４には、文書ファイルを作成するための文書作成アプリケーションと、文書ファイルをプリンタ１が解釈可能なページ記述言語（ＰＤＬ：Ｐａｇｅ  Ｄｅｓｃｒｉｐｔｉｏｎ  Ｌａｎｇｕａｇｅ）で記述された印刷データに変換するためのプリンタドライバと、がインストールされている。
【００３３】
ディスプレイ２５は、たとえば、ＣＲＴあるいはＬＣＤであり、各種の情報を表示する。入力装置２６は、マウス等のポインティングデバイス、およびキーボードであり、各種の入力を行うために使用される。
【００３４】
図４は、プリンタドライバがインストールされているＰＣのモジュール構成を示す図である。図４に示されるとおり、プリンタドライバ４０は、ＰＣ２のオペレーティングシステム３０の制御下で動作する。プリンタドライバ４０は、ユーザによる印刷条件の設定を受け付けるＵＩ部４１と、画像データを生成する描画部４２とを有する。ＵＩ部４１は、印刷画面、印刷設定画面、およびエコノミー印刷設定画面をＰＣ２のディスプレイ２５に表示させ、ユーザによる印刷条件の設定を受け付ける。描画部４２は、文書作成アプリケーション５０からデータを取得して画像データを生成する。各モジュールの処理の詳細については後述する。
【００３５】
図５は、印刷画面の一例を示す図である。印刷画面１００は、ＰＣ２のユーザが文書ファイルの印刷をプリンタ１に指示する際に、ＰＣ２のディスプレイ２５に表示される。印刷画面１００には、文書ファイルの印刷条件を設定するためのプロパティボタン１１０が設けられている。
【００３６】
図６は、印刷設定画面の一例を示す図である。印刷設定画面２００は、印刷画面１００のプロパティボタン１１０が押し下げられることにより、ＰＣ２のディスプレイ２５に表示される。印刷設定画面２００は、複数の設定画面を有しており、タブが選択されることにより設定画面が切り替えられる。図６では、「画質設定」タブが選択され、画質設定画面が表示されている。画質設定画面には、プリンタ１において印刷時に使用されるトナーの量を削減するエコノミー印刷についての詳細な設定を行うためのエコノミー印刷設定ボタン２１０が設けられている。
【００３７】
図７は、エコノミー印刷設定画面の一例を示す図である。エコノミー印刷設定画面３００は、印刷設定画面２００のエコノミー印刷設定ボタン２１０が押し下げられることにより、ＰＣ２のディスプレイ２５に表示される。
【００３８】
エコノミー印刷設定画面３００は、複数の印刷プレビュー画像を表示する画像表示部３１０と、複数の印刷プレビュー画像についての設定を受け付ける画像設定受付部３２０とを有する。
【００３９】
画像表示部３１０は、オリジナル印刷イメージ表示部３１１と、濃度調整印刷イメージ表示部３１２と、縮小印刷イメージ表示部３１３とを有する。オリジナル印刷イメージ表示部３１１は、トナーの量を削減するための画像処理が施されていない特定の画像の印刷プレビュー画像（以下、「オリジナル印刷画像」と称する）を表示する。濃度調整印刷イメージ表示部３１２は、特定の画像に対して濃度調整印刷処理が施された結果を示す印刷プレビュー画像（以下、「濃度調整印刷画像」と称する）を表示する。縮小印刷イメージ表示部３１３は、特定の画像に対して縮小印刷処理が施された結果を示す印刷プレビュー画像（以下、「縮小印刷画像」と称する）を表示する。縮小印刷イメージ表示部３１３には、オリジナル印刷イメージ表示部３１１に表示されるオリジナル印刷画像の画像サイズを基準として、後述するトナー使用率に基づいて縮小された縮小印刷画像が表示される。
【００４０】
オリジナル印刷イメージ表示部３１１、濃度調整印刷イメージ表示部３１２、および縮小印刷イメージ表示部３１３は、相互に連動しており、オリジナル印刷画像、濃度調整印刷画像、および縮小印刷画像は、同一の画像について作成される。
【００４１】
画像設定受付部３２０は、印刷プレビュー画像についてのページの選択を受け付けるページ選択部３２１と、印刷プレビュー画像の画像サイズの変更を受け付けるサイズ変更部３２２と、印刷プレビュー画像のトナー使用率の変更を受け付けるトナー使用率変更部３２３とを有する。また、画像設定受付部３２０には、現在のトナー使用率をトナーセーブ設定として登録するための設定登録部３２４と、トナー使用率を初期化するための初期化ボタン３２５とが設けられている。
【００４２】
ページ選択部３２１は、文書ファイルが複数ページからなる場合に、複数ページ分の画像の中から、印刷プレビュー画像として表示される１つのページの画像についてのユーザによる選択を受け付ける。サイズ変更部３２２は、印刷プレビュー画像の画像サイズについてのユーザによる変更を受け付ける。上述したとおり、オリジナル印刷イメージ表示部３１１、濃度調整印刷イメージ表示部３１２、および縮小印刷イメージ表示部３１３は、相互に連動しており、ページ選択部３２１を通じてページ番号が変更されれば、３つの印刷プレビュー画像とも変更される。同様に、サイズ変更部３２２を通じて画像サイズが変更されれば、３つの印刷プレビュー画像とも画像サイズが変更される。
【００４３】
トナー使用率変更部３２３は、トナー使用率の変更を受け付けるトナー使用率変更受付部３２３ａと、濃度の変更を受け付ける濃度変更受付部３２３ｂと、ズーム率の変更を受け付けるズーム率変更受付部３２３ｃとを有する。
【００４４】
トナー使用率変更受付部３２３ａは、画像表示部３１０に表示されている濃度調整印刷画像および縮小印刷画像のトナー使用率をＰＣ２のユーザに通知するとともに、ユーザによるトナー使用率の変更を受け付ける。ここで、トナー使用率は、オリジナル印刷画像の印刷時に使用されるトナーの量に対する、濃度調整印刷処理および縮小印刷処理等の画像処理が施された画像の印刷時に使用されるトナーの量の比率を示す。画像表示部３１０に表示される濃度調整印刷画像および縮小印刷画像は、同一のトナー使用率が得られるように作成されている。
【００４５】
濃度変更受付部３２３ｂは、画像表示部３１０に表示されている濃度調整印刷画像の濃度をユーザに通知するとともに、ユーザによる濃度の変更を受け付ける。ここで、濃度は、濃度調整印刷処理のパラメータであり、トナー使用率に基づいて決定される。なお、濃度は、濃度調整印刷処理が施される画像の内容によっても変化する。すなわち、複数ページからなる文書ファイルのすべてのページの画像について、同一のトナー使用率を得ようとする場合、濃度調整印刷画像の濃度は、文書ファイルのページ毎に異なり得る。
【００４６】
ズーム率変更受付部３２３ｃは、画像表示部３１０に表示されている縮小印刷画像のズーム率をユーザに通知するとともに、ユーザによるズーム率の変更を受け付ける。ここで、ズーム率は、縮小印刷処理のパラメータであり、トナー使用率に基づいて決定される。なお、ズーム率は、縮小印刷処理が施される画像の内容によっても変化する。すなわち、複数ページからなる文書ファイルのすべてのページの画像について、同一のトナー使用率を得ようとする場合、縮小印刷画像のズーム率は、文書ファイルのページ毎に異なり得る。
【００４７】
トナー使用率変更受付部３２３ａ、濃度変更受付部３２３ｂ、およびズーム率変更受付部３２３ｃは、相互に連動しており、トナー使用率、濃度、およびズーム率のいずれか１つの値が変更されれば、残りの２つの値も変更される。
【００４８】
なお、プリンタ１およびＰＣ２は、それぞれ、上記構成要素以外の構成要素を含んでいてもよく、あるいは、上記構成要素のうちの一部が含まれていなくてもよい。
【００４９】
図８は、プリンタにおいて印刷時に使用されるトナーの量を削減可能な画像処理を説明するための図である。本実施形態では、プリンタ１において使用されるトナーの量を削減するために画像処理が用いられる。
【００５０】
図８（Ａ）は、濃度調整印刷処理を説明するための図である。濃度調整印刷処理は、画像の濃度を低減することにより、印刷時に使用されるトナーの量を削減する。図８（Ａ）に示されるとおり、濃度調整印刷処理では、画素が間引かれることにより、トナーの量が削減される。すなわち、濃度調整印刷処理では、画像データにおいて無色以外の色が指定されている画素の数が低減されることによりトナーが定着される領域が減少され、トナーの量が削減される。本実施形態では、所定のトナー使用率が得られるように、特定の画像に対して濃度調整印刷処理が施される。
【００５１】
図８（Ｂ）は、縮小印刷処理を説明するための図である。縮小印刷処理は、画像サイズを低減することにより、印刷時に使用されるトナーの量を削減する。図８（Ｂ）に示されるとおり、縮小印刷処理では、画像が縮小され、トナーが定着される領域が減少されることにより、トナーの量が削減される。本実施形態では、所定のトナー使用率が得られるように、特定の画像に対して縮小印刷処理が施される。
【００５２】
図８（Ｃ）は、単色階調化処理を説明するための図である。単色階調化処理は、トナーの色数を低減することにより、印刷時に使用されるトナーの量を削減する。図８（Ｃ）に示されるとおり、単色階調化処理では、Ｃ，Ｍ，Ｙ，Ｋの４種類のトナーを用いて表現される画像が１種類のトナーで表現されることにより、印刷時に使用されるトナーの量が削減される。たとえば、４種類のトナーで表現されるカラー画像がＫトナーのみで表現されるモノクロ画像に変更されることにより、トナーの量が削減される。
【００５３】
なお、本実施形態のエコノミー印刷設定画面３００上には、特定の画像に対して濃度調整印刷処理および縮小印刷処理がそれぞれ施された結果を示す２つの印刷プレビュー画像が表示されている。しかしながら、エコノミー印刷設定画面３００上には、上記２つの印刷プレビュー画像に加えて、あるいは、上記２つの印刷プレビュー画像の一方に代えて、特定の画像に対して単色階調化処理が施された結果を示す印刷プレビュー画像が表示されてもよい。
【００５４】
次に、本実施形態における印刷設定時のＰＣ２の動作について説明する。
【００５５】
図９は、図１に示されるＰＣにおいて実行される印刷設定処理の手順を示すフローチャートである。なお、図９のフローチャートにより示されるアルゴリズムは、ＰＣ２のハードディスク２４等の記憶部にプログラムとして記憶されており、ＣＰＵ２１によって実行される。
【００５６】
図９に示されるとおり、まず、トナーセーブモードの選択が受け付けられる（ステップＳ１０１）。本実施形態では、ユーザのマウス操作により、印刷設定画面２００のエコノミー印刷設定ボタン２１０が押し下げられることにより、トナーセーブモードの選択が受け付けられる。
【００５７】
続いて、印刷可能なデータがあるか否かが判断される（ステップＳ１０２）。具体的には、印刷対象の文書ファイルが印刷可能なデータであるか否かが判断される。たとえば、文書ファイルが白紙のデータである場合や文書ファイルの印刷が禁止されている場合には、文書ファイルが印刷可能なデータでないと判断される。
【００５８】
印刷可能なデータがないと判断される場合（ステップＳ１０２：ＮＯ）、ステップＳ１０１の処理に戻る。このとき、エコノミー印刷設定画面３００が表示されないことをユーザに通知する通知画面（不図示）がディスプレイ２５に表示され得る。
【００５９】
一方、印刷可能なデータがあると判断される場合（ステップＳ１０２：ＹＥＳ）、トナーセーブ印刷設定処理が実行される（ステップＳ１０３）。本実施形態では、まず、エコノミー印刷設定画面３００がディスプレイ２５に表示される。そして、ユーザのマウス操作により、エコノミー印刷設定画面３００上に表示される複数の印刷プレビュー画像の中から１つの印刷プレビュー画像が選択される。
【００６０】
そして、印刷データが作成され（ステップＳ１０４）、処理が終了される。本実施形態では、ユーザにより選択された印刷プレビュー画像に対応する画像処理が施された画像を印刷するための印刷データが作成される。たとえば、ユーザにより選択された印刷プレビュー画像の画像データが変換されて印刷データが作成される。印刷データは、印刷ジョブとして、プリンタ１に送信される。
【００６１】
図１０は、図９のステップＳ１０３に示されるトナーセーブ印刷設定処理の手順を示すフローチャートである。
【００６２】
図１０に示されるとおり、まず、オリジナル印刷画像が描画される（ステップＳ２０１）。具体的には、エコノミー印刷設定画面３００のオリジナル印刷イメージ表示部３１１に表示されるオリジナル印刷画像用の画像データが生成される。このとき、オリジナル印刷画像を印刷するために使用されるトナーの量が計算される。
【００６３】
続いて、最終設定値の問い合わせが行われ、最終設定値があるか否かが判断される（ステップＳ２０２，Ｓ２０３）。本実施形態では、前回のトナーセーブ印刷設定処理で使用されたトナーセーブ値（トナー使用率）が、ハードディスク２４に記憶されているか否かが判断される。
【００６４】
最終設定値があると判断される場合（ステップＳ２０３：ＹＥＳ）、最終設定値が取得される（ステップＳ２０４）。一方、最終設定値がないと判断される場合（ステップＳ２０３：ＮＯ）、デフォルト値が取得される。たとえば、トナーセーブ印刷設定処理が初めて行われる場合やデータの破損等で最終設定値が使用できない場合には、デフォルト値が取得される。
【００６５】
続いて、トナーセーブ値が決定される（ステップＳ２０６）。本実施形態では、ステップＳ２０４に示す処理で取得された最終設定値、または、ステップＳ２０５に示す処理で取得されたデフォルト値が、トナーセーブ値として決定される。
【００６６】
続いて、トナーセーブ値を適用して、濃度調整印刷画像が描画される（ステップＳ２０７）。本実施形態では、ステップＳ２０６に示す処理で決定されたトナーセーブ値に基づいて、ステップＳ２０１に示す処理で生成されたオリジナル印刷画像用の画像データに対して濃度調整印刷処理が施されることにより、濃度調整印刷画像用の画像データが生成される。なお、トナーセーブ値に基づいて濃度調整印刷画像用の画像データを生成する技術自体は、一般的な画像濃度調整技術であるため、詳細な説明は省略する。
【００６７】
続いて、トナーセーブ値を適用して、縮小印刷画像が描画される（ステップＳ２０８）。本実施形態では、ステップＳ２０６に示す処理で決定されたトナーセーブ値に基づいて、ステップＳ２０１に示す処理で生成されたオリジナル印刷画像用の画像データに対して縮小印刷処理が施されることにより、縮小印刷画像用の画像データが生成される。なお、トナーセーブ値に基づいて縮小印刷画像用の画像データを生成する技術自体は、一般的な画像縮小技術であるため、詳細な説明は省略する。
【００６８】
続いて、トナーセーブ設定リストが取得される（ステップＳ２０９）。本実施形態では、ユーザにより事前に登録されたトナーセーブ設定の一覧が、ハードディスク２４から取得される。トナーセーブ設定の一覧は、設定登録部３２４の「呼び出し」ボタンが押し下げられた場合に、ユーザにより選択可能なトナーセーブ設定の一覧として表示される。なお、トナーセーブ設定がハードディスク２４に記憶されてない場合には、ステップＳ２０９の処理は省略される。
【００６９】
続いて、ＵＩ上に値が表示される（ステップＳ２１０）。本実施形態では、ステップＳ２０６に示す処理で決定されたトナーセーブ値と、トナーセーブ値に基づき決定された濃度値（濃度）およびズーム値（ズーム率）と、トナーセーブ設定の名称とが、エコノミー印刷設定画面３００上に表示される。なお、トナーセーブ設定が選択されていない場合、トナーセーブ設定の名称は、エコノミー印刷設定画面３００上には表示されない。
【００７０】
そして、ＵＩ上に印刷画像、濃度調整印刷画像、および縮小印刷画像が表示される（ステップＳ２１１）。具体的には、ステップＳ２０１，Ｓ２０７，Ｓ２０８に示す処理で生成された画像データに基づいて、オリジナル印刷画像、濃度調整印刷画像、および縮小印刷画像用が、エコノミー印刷設定画面３００上に表示される。
【００７１】
以上のとおり、ステップＳ２０１〜Ｓ２１１に示す処理によれば、所定のトナーセーブ値に基づいて、濃度調整印刷画像および縮小印刷画像用の画像データが生成される。そして、オリジナル印刷画像、濃度調整印刷画像、および縮小印刷画像が、エコノミー印刷設定画面３００上に表示される。ＰＣ２のユーザは、マウス操作により、３つの印刷プレビュー画像の画像サイズや表示エリアを変更することができる。
【００７２】
ステップＳ２１２では、印刷プレビュー画像の画像サイズの変更があるか否かが判断される。たとえば、ＰＣ２のユーザが、印刷プレビュー画像の詳細を確認するために、エコノミー印刷設定画面３００のサイズ変更部３２２を操作する場合、印刷プレビュー画像の画像サイズの変更があると判断される。
【００７３】
画像サイズの変更がないと判断される場合（ステップＳ２１２：ＮＯ）、ステップＳ２１４の処理に進む。一方、画像サイズの変更があると判断される場合（ステップＳ２１２：ＹＥＳ）、画像サイズの変更処理が実行され（ステップＳ２１３）、ステップＳ２１２の処理に戻る。その結果、ユーザの操作を反映するように、エコノミー印刷設定画面３００上に表示される印刷プレビュー画像の画像サイズが拡大または縮小される。上述したとおり、３つの印刷プレビュー画像の画像サイズは同様に変更される。
【００７４】
ステップＳ２１４では、印刷プレビュー画像の表示エリアの変更があるか否かが判断される。たとえば、ＰＣ２のユーザが、拡大された印刷プレビュー画像の詳細を確認するために、マウス操作により１つの画像をドラッグする場合、印刷プレビュー画像の表示エリアの変更があると判断される。
【００７５】
表示エリアの変更がないと判断される場合（ステップＳ２１４：ＮＯ）、ステップＳ２１６の処理に進む。一方、表示エリアの変更があると判断される場合（ステップＳ２１４：ＹＥＳ）、表示エリアの変更処理が実行され（ステップＳ２１５）、ステップＳ２１２の処理に戻る。その結果、ユーザの操作を反映するように、エコノミー印刷設定画面３００上に表示される印刷プレビュー画像の画像エリアが変更される。なお、３つの印刷プレビュー画像の表示エリアは同様に変更される。すなわち、ユーザは、拡大された３つの印刷プレビュー画像の同一箇所を確認することができる。
【００７６】
以上のとおり、ステップＳ２１２〜Ｓ２１５に示す処理によれば、エコノミー印刷設定画面３００上に表示される３つの印刷プレビュー画像の画像サイズおよび表示エリアが、ユーザの操作に基づき変更される。ＰＣ２のユーザは、印刷プレビュー画像を参照して、現在のトナーセーブ値により、所望の印刷結果が得られているか否かを判断する。ユーザは、印刷プレビュー画像のトナーセーブ値を変更することができる。
【００７７】
ステップＳ２１６では、トナーセーブ値の変更があるか否かが判断される。ユーザが、エコノミー印刷設定画面３００のトナー使用率変更部３２３を操作して、トナー使用率、濃度、およびズーム率のいずれか１つの値を変更する場合、トナーセーブ値の変更があると判断される。
【００７８】
トナーセーブ値の変更がないと判断される場合（ステップＳ２１６：ＮＯ）、ステップＳ２１８の処理に進む。一方、トナーセーブ値の変更があると判断される場合（ステップＳ２１６：ＹＥＳ）、変更後のトナーセーブ値が取得され（ステップＳ２１７）、ステップＳ２０６の処理に戻る。具体的には、まず、エコノミー印刷設定画面３００上で変更されたトナーセーブ値が取得される。そして、新たに取得されたトナーセーブ値に基づいて、ステップＳ２０６〜Ｓ２１１に示す処理が繰り返されることにより、濃度調整印刷画像および縮小印刷画像が変更される。なお、エコノミー印刷設定画面３００上で濃度またはズーム率が変更された場合には、変更された濃度またはズーム率からトナーセーブ値が算出され、算出されたトナーセーブ値に基づいて、ステップＳ２０６〜Ｓ２１１に示す処理が繰り返される。
【００７９】
ステップＳ２１８では、トナーセーブ設定の選択があるか否かが判断される。ユーザは、トナーセーブ設定を選択することによっても、トナーセーブ値を変更することができる。エコノミー印刷設定画面３００の設定登録部３２４の「呼び出し」ボタンが押し下げられることにより表示されるトナーセーブ設定の一覧から、ユーザが、１つのトナーセーブ設定を選択する場合、トナーセーブ設定の選択があると判断される。
【００８０】
トナーセーブ設定の選択がないと判断される場合（ステップＳ２１８：ＮＯ）、ステップＳ２２０の処理に進む。一方、トナーセーブ設定の選択があると判断される場合（ステップＳ２１８：ＹＥＳ）、トナーセーブ設定からトナーセーブ値が取得され（ステップＳ２１９）、ステップＳ２０６の処理に戻る。具体的には、まず、ユーザにより選択されたトナーセーブ設定からトナーセーブ値が取得される。そして、取得されたトナーセーブ値に基づいて、ステップＳ２０６〜Ｓ２１１に示す処理が繰り返されることにより、濃度調整印刷画像および縮小印刷画像が変更される。
【００８１】
以上のとおり、ステップＳ２１６〜Ｓ２１９に示される処理によれば、ユーザによるトナーセーブ値の変更が受け付けられ、変更されたトナーセーブ値に基づいて、印刷プレビュー画像が変更される。具体的には、まず、エコノミー印刷設定画面３００のトナー使用率変更部３２３が操作されることによりトナーセーブ値が変更される。あるいは、ハードディスク２４に予め記憶されているトナーセーブ設定が選択されることにより、トナーセーブ値が変更される。そして、変更後のトナーセーブ値に基づいて、濃度調整印刷画像および縮小印刷画像が変更される。ユーザは、変更後の印刷プレビュー画像を確認し、所望の印刷結果が得られているか否かを判断する。所望の印刷結果が得られている場合、ユーザは、複数の印刷プレビュー画像の中から、該当する印刷プレビュー画像を選択する。
【００８２】
ステップＳ２２０では、濃度調整印刷画像が選択されたか否かが判断される。本実施形態では、ユーザのマウス操作により濃度調整印刷画像がクリックされて濃度調整印刷画像が太枠で強調表示される場合、濃度調整印刷画像が選択されたと判断される。濃度調整印刷画像が選択されたと判断される場合（ステップＳ２２０：ＹＥＳ）、ステップＳ２２３の処理に進む。
【００８３】
一方、濃度調整印刷画像が選択されていないと判断される場合（ステップＳ２２０：ＮＯ）、縮小印刷画像が選択されたか否かが判断される（ステップＳ２２１）。本実施形態では、ユーザのマウス操作により縮小印刷画像がクリックされて縮小印刷画像が太枠で強調表示される場合、縮小印刷画像が選択されたと判断される。縮小印刷画像が選択されたと判断される場合（ステップＳ２２１：ＹＥＳ）、ステップＳ２２３の処理に進む。
【００８４】
一方、縮小印刷画像が選択されていないと判断される場合（ステップＳ２２１：ＮＯ）、オリジナル印刷画像が選択されたか否かが判断される（ステップＳ２２２）。本実施形態では、ユーザは、トナーの量が削減されないオリジナル印刷画像を選択することもできる。ユーザのマウス操作によりオリジナル印刷画像がクリックされてオリジナル印刷画像が太枠で強調表示される場合、オリジナル印刷画像が選択されたと判断される。オリジナル印刷画像が選択されたと判断される場合（ステップＳ２２２：ＹＥＳ）、ステップＳ２２３の処理に進む。
【００８５】
一方、オリジナル印刷画像が選択されていないと判断される場合（ステップＳ２２２：ＮＯ）、ステップＳ２１２の処理に戻る。すなわち、ユーザは、再度、エコノミー印刷設定画面３００上で印刷プレビュー画像の確認ならびに調整を行うことができる。
【００８６】
以上のとおり、ステップＳ２２０〜Ｓ２２２に示す処理によれば、複数の印刷プレビュー画像の中から１つの印刷プレビュー画像が選択される。印刷設定を確定する前に、ユーザは、エコノミー印刷設定画面３００上のトナーセーブ値をハードディスク２４に記憶させることができる。
【００８７】
ステップＳ２２３では、設定値を登録するか否かが判断される。本実施形態では、エコノミー印刷設定画面３００の設定登録部３２４の「保存」ボタンが押し下げられる場合、設定値を登録すると判断される。
【００８８】
設定値を登録しないと判断される場合（ステップＳ２２３：ＮＯ）、ステップＳ２２５の処理に進む。一方、設定値を登録すると判断される場合（ステップＳ２２３：ＹＥＳ）、設定値が登録される（ステップＳ２２４）。具体的には、現在のトナーセーブ値が、トナーセーブ設定としてハードディスク２４に記憶される。
【００８９】
続いて、最終設定値が記憶され（ステップＳ２２５）、処理が終了される。本実施形態では、現在のトナーセーブ値が、次回の使用時に利用されるようにハードディスク２４に最終設定値として記憶され、処理が終了される。
【００９０】
以上のとおり、ステップＳ２２３〜Ｓ２２５に示す処理によれば、エコノミー印刷設定画面３００上のトナーセーブ値がハードディスク２４に記憶される。そして、エコノミー印刷設定画面３００の「ＯＫ」ボタンが押し下げられることにより印刷設定が確定され、印刷データの作成処理に移行する。本実施形態では、ユーザにより選択された１つの印刷プレビュー画像に対応する画像処理が施された画像を印刷するための印刷データが作成される。
【００９１】
以上のとおり、図１０および図１１に示されるフローチャートの処理によれば、所定のトナー使用率に基づいて、濃度調整印刷画像および縮小印刷画像が作成され、オリジナル印刷画像とともに表示される。そして、トナー使用率が変更されれば、これに応じて、印刷プレビュー画像も変更される。
【００９２】
このような構成によれば、ユーザは、複数の印刷プレビュー画像を目視により確認して、複数の印刷プレビュー画像の中から１つの印刷プレビュー画像を選択することにより、所望の画像処理を選択することができる。したがって、トナーの量を削減するための画像処理が施された画像の印刷結果が、ユーザの許容範囲内に確実に収まるようになる。
【００９３】
また、本実施形態によれば、ユーザは、エコノミー印刷設定画面３００上でトナー使用率を変更しつつ、変更後のトナー使用率が得られる印刷プレビュー画像を確認することができるため、ユーザは、所望の印刷プレビュー画像を容易に得ることができる。また、トナー使用率の代わりに、濃度またはズーム率を変更することもできる。
【００９４】
また、本実施形態によれば、複数の印刷プレビュー画像は、同一のトナー使用率に基づいて作成されるため、ユーザは、同一のトナー削減効果が得られる複数の画像処理の中から、１つの画像処理を選択することができる。さらに、ユーザは、複雑な操作を行って複数の印刷プレビュー画像のトナー使用率を揃える必要がない。
【００９５】
また、本実施形態によれば、エコノミー印刷設定画面３００にトナー使用率が表示されるため、ユーザは、トナーの節約効果を認識しつつ、印刷条件を設定することができる。
【００９６】
本発明は、上記した実施形態のみに限定されるものではなく、特許請求の範囲内において、種々改変することができる。
【００９７】
たとえば、上記実施形態では、文書ファイルが複数ページからなる場合、所定のトナー使用率にしたがって、ページ毎に濃度およびズーム率が異なる印刷プレビュー画像が表示された。しかしながら、濃度やズーム率は、複数のページを通じて一定に維持されてもよい。この場合、たとえば、代表的なページの画像に対して指定されたトナー使用率に対応する濃度およびズーム率が、すべてのページに対して適用される。
【００９８】
また、上記実施形態では、濃度およびズーム率は、エコノミー印刷設定画面上で連動して変更されるように構成された。しかしながら、濃度およびズーム率等のパラメータは、独立に変更されるように構成されてもよく、異なるトナー使用率が得られる複数の印刷プレビュー画像が表示されてもよい。
【００９９】
また、上記実施形態では、画像形成装置としてのプリンタと画像形成条件設定装置としてのＰＣとは、直接機器間で接続されていた。しかしながら、図１２に示されるとおり、プリンタ１とＰＣ２とは、ネットワーク３を介してネットワーク接続されてもよく、または、無線接続装置４を介して無線接続されてもよい。
【０１００】
また、上記実施形態では、ＰＣの文書作成アプリケーションで作成された文書ファイルをプリンタにより印刷する場合について説明した。しかしながら、トナーセーブ印刷処理は、ＭＦＰ（Ｍｕｌｔｉ−Ｆ  ｕｎｃｔｉｏｎ  Ｐｅｒｉｐｈｅｒａｌ）等の画像形成装置において、複写処理を行う場合にも適用可能である。具体的には、スキャナ部により原稿の画像を読み取って得られた画像データに対して複数の画像処理を施すことにより、複数のプレビュー画像を作成する。この場合、複数のプレビュー画像は、ＭＦＰの操作パネルに表示され、操作パネルに対するユーザ操作により、複数のプレビュー画像の中から１つのプレビュー画像が選択される。
【０１０１】
本実施形態にかかる画像形成条件設定装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、画像形成条件設定装置の一機能としてその装置のソフトウエアに組み込まれてもよい。
【符号の説明】
【０１０２】
１  プリンタ、
１１，２１  ＣＰＵ、
１２，２２  ＲＯＭ、
１３，２３  ＲＡＭ、
１４  操作パネル、
１５  印刷部、
１６，２７  通信インタフェース、
１７，２８  バス、
２  ＰＣ、
２４  ハードディスク、
２５  ディスプレイ、
２６  入力装置、
１００  印刷画面、
２００  印刷設定画面、
３００  エコノミー印刷設定画面。
【図１】
2011164489.tif 000003
【図２】
2011164489.tif 000004
【図３】
2011164489.tif 000005
【図４】
2011164489.tif 000006
【図５】
2011164489.tif 000007
【図６】
2011164489.tif 000008
【図９】
2011164489.tif 000009
【図１０】
2011164489.tif 000010
【図１１】
2011164489.tif 000011
【図１２】
2011164489.tif 000012
【図７】
2011164489.tif 000013
【図８】
2011164489.tif 000014